(57)【要約】      （修正有）【課題】筆記具を用いずに整理用の文字列を記すことができるホルダを提供する。【解決手段】ホルダ１は、一枚の四角形状のメインシートを山折り線７により分けられた第１保持部５と第２保持部６とからなる。第２保持部６は、下辺にのりしろ片９を有し、右片に第１インデックス片１３を有する。第１保持部５の内部には、デジタル数字の形状をかたどった切れ目１１を設ける。切れ目１１の切断加工時には、ところどころをつなぎ１２として残す。切れ目１１の一部を切断し、くり抜き部を形成し、くり抜き部により、文字列を形成することができる。【選択図】図１
0003148246.tif 000002
【実用新案登録請求の範囲】
【請求項１】
書類等を収納するホルダであって、メインシートの中間部に山折り線が形成されて、第１保持部と第２保持部とが形成されており、
前記第１保持部または前記第２保持部に、切れ目が設けられており、
前記切れ目に沿って切断することで文字または記号を表示可能である
ことを特徴とするホルダ。
【請求項２】
前記切れ目が、数字を表示可能に設けられていることを特徴とする請求項１に記載のホルダ。
【請求項３】
前記メインシートを山折り線に沿って二つ折りにし、前記第１保持部の下辺と前記第２保持部の下辺とを接合したことを特徴とする請求項１または請求項２に記載のホルダ。
【請求項４】
前記第２保持部に、インデックス片が設けられていることを特徴とする請求項１ないし請求項３に記載のホルダ。
【請求項５】
前記インデックス片は、第１舌片を有し、
前記第１舌片は、前記第１保持部と前記第２保持部を折り重ねた際に、前記第１保持部または前記第２保持部に係合可能である
ことを特徴とする請求項１ないし請求項４に記載のホルダ。
【請求項６】
前記第１保持部が、前記インデックス片が係合する箇所に、第１切り欠け部を有することを特徴とする請求項５に記載のホルダ。
【請求項７】
前記第２保持部の右部と、前記第１保持部の左部と、前記第２保持部の上部と、前記第１保持部の上部とのいずれか１以上の部分に
折り目を残して、第２舌片を有するインデックス片の形状に切れ目が設けられており、
前記切れ目に沿って切り取り、前記折り目に沿って折ることで、前記インデックス片が前記第１保持部または前記第２保持部より突出し、
前記舌片は、前記第１保持部と前記第２保持部を折り重ねた際に、前記第１保持部または前記第２保持部に係合可能である
ことを特徴とする請求項１ないし請求項６に記載のホルダ。
【請求項８】
前記第１保持部の下部に、切れ目が設けられ、
前記第２保持部の下辺に、第３舌片を有する下押さえ片が設けられており、
前記第３舌片は、前記切れ目に係合可能である
ことを特徴とする請求項１ないし請求項７に記載のホルダ。
【請求項９】
前記第１保持部の下辺の全体に、第１切り欠け部を有することを特徴とする請求項８に記載のホルダ。
【請求項１０】
紙製であることを特徴とする請求項１ないし請求項９に記載のホルダ。
【考案の詳細な説明】
【技術分野】
【０００１】
本考案は、二つ折りにしたシートの間に書類等を挟んで収納できるようにしたホルダに関するものである。
【背景技術】
【０００２】
従来、この種のホルダとしては、プラスチックシートを中心線に沿って二つ折りにし、二つ折りにしたプラスチックシートを折り目に連なる一方の縁に沿って互いに接合したものが使用されていた（例えば、特許文献１参照）。
【０００３】
また、書類の整理に便利なように、ホルダの表面に文字や数字、記号を記入することが多い。
【０００４】
また、近年の地球環境保護意識の高まりから、プラスチックシートの代わりに、紙製のシートを使用することが考えられている。
【０００５】
【特許文献１】特開２０００−２３３５８８号公報
【考案の開示】
【考案が解決しようとする課題】
【０００６】
しかしながら、ホルダの表面に文字を手書きで記入するためには、記入時に筆記用具が必要であるという問題点があった。更には、人によっては「１」と「７」が判別不能であるなど可読性が低かったり、文字を記入する場所が一定でなかったりするために、整理が困難になるという場合もあった。
【０００７】
本考案は、前述した問題点に鑑みてなされたもので、その目的とすることは、筆記具を用いずに整理用の文字列を記すことができるホルダを提供することである。
【課題を解決するための手段】
【０００８】
前述した目的を達成するために、第１の考案は、書類等を収納するホルダであって、メインシートの中間部に山折り線が形成されて、第１保持部と第２保持部とが形成されており、前記第１保持部または前記第２保持部に、切れ目が設けられており、前記切れ目に沿って切断することで文字または記号を表示可能であることを特徴とするホルダである。
【０００９】
また、前記切れ目が、数字を表示可能に設けられていることが望ましく、前記メインシートを山折り線に沿って二つ折りにし、前記第１保持部の下辺と前記第２保持部の下辺とを接合することが望ましい。接合とは、接着剤などによる接着と、舌片などによる係合の両方を含む。
【００１０】
前記第２保持部に、インデックス片が設けられており、前記インデックス片は、第１舌片を有し、前記第１舌片は、前記第１保持部と前記第２保持部を折り重ねた際に、前記第１保持部または前記第２保持部に係合可能であることが望ましく、前記第１保持部が、前記インデックス片が係合する箇所に、第１切り欠け部を有することが望ましい。
【００１１】
前記第２保持部の右部と、前記第１保持部の左部と、前記第２保持部の上部と、前記第１保持部の上部とのいずれか１以上の部分に折り目を残して、第２舌片を有するインデックス片の形状に切れ目が設けられており、前記切れ目に沿って切り取り、前記折り目に沿って折ることで、前記インデックス片が前記第１保持部または前記第２保持部より突出し、前記舌片は、前記第１保持部と前記第２保持部を折り重ねた際に、前記第１保持部または前記第２保持部に係合可能であることが望ましい。
【００１２】
前記第１保持部の下部に、切れ目が設けられ、前記第２保持部の下辺に、第３舌片を有する下押さえ片が設けられており、前記第３舌片は、前記切れ目に係合可能であることが望ましく、前記第１保持部の下辺の全体に、第１切り欠け部を有することが望ましい。
【００１３】
前記ホルダが、紙製であることが望ましい。
【考案の効果】
【００１４】
本考案により、筆記具を用いずに整理用の文字列を記すことができるホルダを提供することができる。
【考案を実施するための最良の形態】
【００１５】
以下図面に基づいて、本考案の実施形態を詳細に説明する。
図１は、第１の実施形態に係る組立て前のホルダ１を示す図である。図１、図３、図４、図９において、実線部分は切断加工を行う線であり、点線部は筋押し加工を行う線である。図１（ａ）に示すように、ホルダ１は、一枚の四角形状のメインシートを山折り線７により分けられた第１保持部５と第２保持部６とからなる。第２保持部６は、下辺にのりしろ片９を有し、右片に第１インデックス片１３を有する。第１保持部５の内部には、デジタル数字の形状をかたどった切れ目１１を設ける。
【００１６】
山折り線７は、第１保持部５と第２保持部６の境界に設けられており、筋押し加工されている。
【００１７】
第１保持部５は山折り線７の左側のメインシートを指し、第２保持部６は山折り線７の右側のメインシートを指す。
【００１８】
のりしろ片９は、第２保持部６の下辺に突出して設けられており、台形状の片である。
【００１９】
図１（ｂ）は、第１の実施形態に係る切れ目１１の拡大図である。図１（ｂ）に示すように、切れ目１１の切断加工時には、一部をつなぎ１２として残す。切れ目１１の切断加工後に、切れ目１１に沿って使用者が手で切断し、くり抜き部１４を得ることができるようにするためである。
【００２０】
切れ目１１は、第１保持部の全面に、複数のデジタル数字をかたどって設けられている。切れ目１１がかたどるデジタル数字は、４文字分で１行となり、全部で３行設けられている。
【００２１】
第１インデックス片１３は、第２保持部６の右辺に設けられ、整理用に文字などを書き入れることができる。
【００２２】
ホルダ１を構成する材料は、特に限定されず、プラスチックや紙などを用いることができるが、環境保護の点から、紙製にすることが好ましい。
【００２３】
次に、ホルダ１の組立て方法について説明する。図２は、第１の実施形態に係る組立て後のホルダ１を示す図である。中央に山折り線７を有する一枚のシートであるホルダ１を山折り線７で折り、第２保持部６を第１保持部５の下に折り重ねる。次に、のりしろ片９を第１保持部５に折り重ね、のりしろ片９と第１保持部５の間をのりや接着剤で固定し、第１保持部５と第２保持部６とを綴じる。第１保持部５と第２保持部６との間に書類などをはさむことができる。
【００２４】
図２に示すように、切れ目１１の一部を切断し、くり抜き部１４を形成し、くり抜き部１４により、１行目に「２００８」の数字列を形成している。さらに、２行目に月と日を示す数字を形成し、３行目に整理番号などを形成してもよい。また、１行目から３行目まで何らかの整理番号を形成してもよい。
【００２５】
第１の実施形態によれば、切れ目１１を切断し、くり抜き部１４を形成することで、ペンなどの筆記具を用いずに、第１保持部５に数字を形成することができる。また、形成した数字は、使用者によらずに高い可読性を有し、形成する場所を一定にすることができる。
【００２６】
また、第１の実施形態によれば、手で触ってくり抜き部１４の位置がわかるため、暗所でもホルダの整理番号を判別することができる。
【００２７】
次に、第２の実施形態について説明する。
図３は、第２の実施形態に係る組立て前のホルダ２を示す図である。以下の実施形態で第１の実施形態に係るホルダ１と同一の様態を果たす要素には同一の番号を付し、重複した説明は避ける。第１保持部５は、左辺に第１切り欠け部１９を有し、第２保持部６は、右辺に第２インデックス片１５を有する。
【００２８】
第２インデックス片１５は、略四角形状であり、第２保持部６の右辺に、右に凸に設けられ、第２保持部６より突出可能であり、突出した部分の角は丸くなっている。第２インデックス片１５は、第２保持部６より突出し、ホルダ２の使用時にインデックスとして用いることができる。
【００２９】
第１舌片１７は、半円形状であり、第２保持部６の内側に左に凸に設けられ、第２保持部６より突出可能である。
【００３０】
第２インデックス片１５は、第２保持部６の右辺に突出して設けられており、第２インデックス片１５と第２保持部６の境界に、第２保持部６に突出するように第１舌片１７の切断加工がされている。
【００３１】
第１舌片１７は、第１保持部５と第２保持部６とを折り重ねた際に、第１保持部５の第１切り欠け部１９に係合し、第１保持部５と第２保持部６とを折り重ねた状態を維持する。
【００３２】
第１切り欠け部１９は、第１保持部５の左辺に設けられており、第１保持部５と第２保持部６とを折り重ねた際に、第１舌片１７が係合しやすいように設けられている。
【００３３】
第２の実施形態によれば、第１の実施形態で得られる効果に加えて、第２インデックス片１５を第１舌片１７で第１保持部５に係合すると、ホルダ２は３辺で閉じられ、収納した書類がホルダ２からこぼれにくく、また他の書類が混ざりにくくなる。
【００３４】
次に、第３の実施形態について説明する。
図４は、第３の実施形態に係る組立て前のホルダ３を示す図である。第２保持部６は、右部に、切れ目２１と折り目２３と第２舌片２７とからなる第３インデックス片２５が、第２保持部６の内部に設けられる。
【００３５】
図４（ｂ）に示すように、第３インデックス片２５は、第２保持部６の右部に、切れ目２１と折り目２３により形成され、内部に第２舌片２７の切れ目も有する。第３インデックス片２５は、第２保持部６の内部に設けられる。切れ目２１の端部は、第２保持部に対して丸みを帯びており、折り目２３での折り曲げを繰り返しても、第３インデックス片２５との接続部が破れないようになっている。また、折り目２３は、第２保持部６と第２舌片２７の中間地点に設けられる。さらに、折り目２３の一部を切断加工し、第３インデックス片２５を折り曲げやすくしている。
【００３６】
第３インデックス片２５は、略四角形状であり、第２保持部６の右部に、左にと津に設けられ、第２保持部６より突出可能であり、突出した部分の角は丸くなっている。第３インデックス片２５ａないし第３インデックス片２５ｅとして、複数設けられる。
【００３７】
第２舌片２７は、略四角形状であり、第３インデックス片２５内に右に凸に設けられ、第３インデックス片２５より突出可能であり、突出した部分の角は丸くなっている。
【００３８】
図５は、第３の実施形態に係る第３インデックス片２５ａの第１の使用例を示す図である。また、図６は、第３の実施形態に係る第３インデックス片２５ａの折り曲げ方を説明する図である。図４（ａ）に示すように、第３インデックス片２５ａは、切れ目２１と折り目２３とからなり、第２舌片２７の切れ目を内部に有する。図６（ｂ）〜（ｃ）に示すように、第３インデックス片２５ａを、切れ目２１に沿って第２保持部６より切り離し、折り目２３に沿って折曲げ、第２保持部６の裏側に折り重ねる。図６（ｄ）に示すように、第２舌片２７を第２保持部６の右辺に係合させ、第３インデックス片２５ａが第２保持部６より離れないようにしている。
【００３９】
図７は、第３の実施形態に係る第３インデックス片２５ａの第２の使用例を示す図である。第３インデックス片２５ａは、第１の使用例とは異なり、第２保持部６の手前側に折り曲げられている。また、第２舌片２７は、第２保持部６に係合し、第３インデックス片２５ａが第２保持部６より離れないようにしている。
【００４０】
図８は、第３の実施形態に係る第３インデックス片２５ａの第３の使用例を示す図である。第３インデックス片２５ａは、第１の使用例と同様に、第２保持部６の奥側に折り曲げられている。しかし、第１の使用例とは異なり、第１保持部５に係合し、第１保持部５と第２保持部６を綴じている。第３の使用例においては、第１保持部５と第２保持部６とは、のりしろ片９だけでなく、第３インデックス片２５ａによっても接合されるため、ホルダ３が３辺で閉じられ、別な書類が紛れ込むこともなく、書類の保管が容易となる。
【００４１】
また、第３の実施形態においては、第３インデックス片２５を第２保持部６の右側に複数有するため、一番上の第３インデックス片２５ａではなく、第３インデックス片２５ｂないし第３インデックス片２５ｅを、第１の使用例ないし第３の使用例のように折り曲げてもよい。第３インデックス片２５の突出する位置を変化させることで、ホルダ１による書類の管理が便利になる。さらに、折り曲げたインデックス片１５を、使用後に折り戻すことも可能である。
【００４２】
また、第３インデックス片２５を第１保持部５にも設けてもよいし、第３インデックス片２５を第２保持部６の上部に設けてもよい。更には、第３インデックス片２５を第１保持部の上部にも設けてもよく、つまり、第３インデックス片２５は、設けたい場所に応じて、ホルダ３の下部以外の周辺のどこにでも設けることができる。ただし、切れ目１１と第３インデックス片２５が重ならないように、それぞれの大きさや数を変更する。
【００４３】
第３の実施形態によれば、第２の実施形態で得られる効果に加えて、第３インデックス片２５を、メインシートから突出していない状態でホルダ１を製造可能なので、メインシートの材料を節約できる。
【００４４】
また、第３の実施形態によれば、突出自在なインデックス片を複数有するため、インデックス片の突出を選択することで、複数のホルダをインデックス片の突出状況から判別することができる。
【００４５】
また、第３の実施形態によれば、第３インデックス片２５を第２舌片２７で第２保持部６に係合するため、折り曲げた第３インデックス片２５が第２保持部に戻ることはない。
【００４６】
また、第３の実施形態によれば、第３インデックス片２５を第２舌片２７で第１保持部５に係合すると、ホルダ１は３辺で閉じられ、収納した書類がホルダ１からこぼれにくく、また他の書類が混ざりにくくなっている。
【００４７】
次に、第４の実施形態について説明する。
図９は、第４の実施形態に係る組立て前のホルダ４を示す図である。第１保持部５は、下部に切れ目３３を有し、下辺に第２切り欠け部３５を有する。また、第２保持部６は、下辺に下押さえ片２９を有する。
【００４８】
切れ目３３は、第１保持部５の下部に、第１保持部５の下辺と平行に切断加工されている。
【００４９】
第２切り欠け部３５は、第１保持部５の下辺に設けられており、第１保持部５の下辺全体にわたっている。第２切り欠け部３５により、第１保持部５と第２保持部６を折り重ねた際に、下押さえ片２９を折り曲げやすくなる。
【００５０】
下押さえ片２９は、第２保持部６の下辺に突出して設けられており、角が曲線の台形状の片である。第３舌片３１は、下押さえ片２９の一部を切断加工して設けられている。
【００５１】
第３舌片３１は、図９では、上に凸に設けられており、第１保持部５と第２保持部６とを折り重ねて下押さえ片２９を折った際に、第３舌片３１は下に凸になり、切れ目３３と係合する。
【００５２】
次に、ホルダ４の組立て方法について説明する。ホルダ４は、図９に示すように中央に山折り線７を有する一枚のシートである。ホルダ４を山折り線７で折り、第２保持部６を第１保持部５の下に折り重ねる。次に、下押さえ片２９を第１保持部５の上に折り重ね、第３舌片３１を切れ目３３に係合させて組み立てる。
【００５３】
なお、第１インデックス片１３に代えて、第２インデックス片１５や第３インデックス片２５を用いてもよい。
【００５４】
第４の実施形態によれば、第１の実施形態により得られた効果に加えて、のりや接着剤などを用いずに第１保持部５と第２保持部６とを綴じることができ、環境負荷の低いリサイクル可能なホルダを製造することができる
【実施例】
【００５５】
以下、本発明について実施例を用いて具体的に説明する。
［実施例１］
（ホルダ１の作製）
図１に示すホルダ１を、白板紙より以下のサイズで切り出す。
1)ホルダ１(メインシート)のサイズ
・高さ：310mm(のりしろ片(高さ20mm)を除く）
・幅：440mm
2)第１インデックス片１３のサイズ
・高さ：70mm
・幅：20mm
【００５６】
［実施例２］
（ホルダ２の作製）
図３に示すホルダ２を、実施例１と同様の方法で、以下のサイズで切り出す。
1)ホルダ２(メインシート)
・高さ：310mm＋下押さえ片１９高さ45mm)
・幅：440mm
2)第２インデックス片１５のサイズ
・高さ：70mm
・幅：20mm
3)第１舌片１７のサイズ
・高さ：21mm
・幅：10.5mm
4)第１切り欠け部１９のサイズ
・高さ：22mm
・幅：3mm
【００５７】
［実施例３］
（ホルダ３の作製）
図４に示すホルダ３を、実施例１と同様の方法で、以下のサイズで切り出す。
1)ホルダ３(メインシート)のサイズ
・高さ：310mm(のりしろ片９(高さ20mm)を除く)
・幅：440mm
2)切れ目２１のサイズ
・第２舌片２７に平行な辺：40mm
・第２舌片２７に垂直な辺：27mm
・折り目２３と第２保持部６の右辺との距離：15mm
3)第２舌辺２７のサイズ
・折り目２３に平行な辺：17mm
・折り目２３に平行でない辺：2mm
・折り目２３と第２舌片２７との距離：15mm
【００５８】
［実施例４］
（ホルダ４の作製）
図９に示すホルダ４を、実施例１と同様の方法で、以下のサイズで切り出す。
1)ホルダ４(メインシート)のサイズ
・高さ：310mm（下押さえ片２９(高さ45mm)を除く）
・幅：440mm
2)第１インデックス片１３のサイズ
・高さ：70mm
・幅：20mm
3)切れ目３３のサイズ
・幅：45mm
・第２切り欠け部３５からの距離：19mm
4)第３舌片３１のサイズ
・下押さえ片２９の折り曲げ部に平行な辺：40mm
・下押さえ片２９の折り曲げ部に平行でない辺(高さ)：12.5mm
・第３舌片３１の上端と下押さえ片２９の折り曲げ部との距離：14mm
5)第３切り欠け部３５のサイズ
・深さ(高さ)：3mm
【００５９】
以上、添付図面を参照しながら、本考案にかかるホルダの好適な実施形態について説明したが、本考案は係る例に限定されない。当業者であれば、本願で開示した技術的思想の範疇内において、各種の変更例または修正例に想到しえることは明らかであり、それらについても当然に本考案の技術的範囲に属するものと了解される。
【図面の簡単な説明】
【００６０】
【図１】第１の実施形態に係る組立て前のホルダ１を示す図。
【図２】第１の実施形態に係る組立て後のホルダ１を示す図。
【図３】第２の実施形態に係る組立て前のホルダ２を示す図。
【図４】第３の実施形態に係る組立て前のホルダ３を示す図。
【図５】第３の実施形態に係る第３インデックス片２５ａの第１の使用例を示す図。
【図６】第３の実施形態に係る第３インデックス片２５ａの第１の使用例における折り曲げ方を説明する図。
【図７】第３の実施形態に係る第３インデックス片２５ａの第２の使用例を示す図。
【図８】第３の実施形態に係る第３インデックス片２５ａの第３の使用例を示す図。
【図９】第４の実施形態に係る組立て前のホルダ４を示す図。
【符号の説明】
【００６１】
１、２、３、４………ホルダ
５………第１保持部
６………第２保持部
７………山折り線
９………のりしろ片
１１………切れ目
１２………つなぎ
１３………第１インデックス片
１４………くり抜き部
１５………第２インデックス片
１７………第１舌片
１９………第１切り欠け部
２１………切れ目
２３………折り目
２５………第３インデックス片
２７………第２舌片
２９………下押さえ片
３１………第３舌片
３３………切れ目
３５………第２切り欠け部
【図１】
0003148246.tif 000003
【図２】
0003148246.tif 000004
【図３】
0003148246.tif 000005
【図４】
0003148246.tif 000006
【図５】
0003148246.tif 000007
【図６】
0003148246.tif 000008
【図７】
0003148246.tif 000009
【図８】
0003148246.tif 000010
【図９】
0003148246.tif 000011
【手続補正書】
【提出日】平成20年11月26日(2008.11.26)
【手続補正１】
【補正対象書類名】実用新案登録請求の範囲
【補正対象項目名】全文
【補正方法】変更
【補正の内容】
【実用新案登録請求の範囲】
【請求項１】
書類等を収納するホルダであって、メインシートの中間部に山折り線が形成されて、第１保持部と第２保持部とが形成されており、
前記第１保持部または前記第２保持部に、切れ目が設けられており、
前記切れ目に沿って切断することで文字または記号を表示可能である
ことを特徴とするホルダ。
【請求項２】
前記切れ目が、数字を表示可能に設けられていることを特徴とする請求項１に記載のホルダ。
【請求項３】
前記メインシートを山折り線に沿って二つ折りにし、前記第１保持部の下辺と前記第２保持部の下辺とを接合したことを特徴とする請求項１または請求項２に記載のホルダ。
【請求項４】
前記第２保持部に、インデックス片が設けられていることを特徴とする請求項１から請求項３のいずれかに記載のホルダ。
【請求項５】
前記インデックス片は、第１舌片を有し、
前記第１舌片は、前記第１保持部と前記第２保持部を折り重ねた際に、前記第１保持部または前記第２保持部に係合可能である
ことを特徴とする請求項１から請求項４のいずれかに記載のホルダ。
【請求項６】
前記第１保持部が、前記インデックス片が係合する箇所に、第１切り欠け部を有することを特徴とする請求項５に記載のホルダ。
【請求項７】
前記第２保持部の右部と、前記第１保持部の左部と、前記第２保持部の上部と、前記第１保持部の上部とのいずれか１以上の部分に
折り目を残して、第２舌片を有するインデックス片の形状に切れ目が設けられており、
前記切れ目に沿って切り取り、前記折り目に沿って折ることで、前記インデックス片が前記第１保持部または前記第２保持部より突出し、
前記舌片は、前記第１保持部と前記第２保持部を折り重ねた際に、前記第１保持部または前記第２保持部に係合可能である
ことを特徴とする請求項１から請求項６のいずれかに記載のホルダ。
【請求項８】
前記第１保持部の下部に、切れ目が設けられ、
前記第２保持部の下辺に、第３舌片を有する下押さえ片が設けられており、
前記第３舌片は、前記切れ目に係合可能である
ことを特徴とする請求項１から請求項７のいずれかに記載のホルダ。
【請求項９】
前記第１保持部の下辺の全体に、第１切り欠け部を有することを特徴とする請求項８に記載のホルダ。
【請求項１０】
紙製であることを特徴とする請求項１から請求項９のいずれかに記載のホルダ。